(57)【要約】【課題】  天井野縁材の交点の接合の施工を簡便にして且つ強固に野縁材同志を接合する。【解決手段】  一枚の板金を折曲し野縁材を挟持する「コの字」型の挟持壁を吊天野縁接合金物の上端平板を中心に下方に折曲して構成した主材挟持垂壁を背にし、左右両側に設け、下方から野縁材を挿入して、材同志を吊天野縁接合金物を介し接合固定することを特徴とする。【選択図】図１
2014198982.tif 000002
【特許請求の範囲】
【請求項１】
天井表面仕上げ材の下地材の石膏ボード等を支持する野縁材等の交差接合部に用いる接合補強金物であって、
交差部に集合する野縁材等各々を挟み込んで狭持し、その側面からビス等により固定することを特徴とする野縁材等骨組みの吊天野縁接合金物。
【請求項２】
吊天野縁接合金物の中心部上端平板の各辺に同一形状４個の矩形穴を設け取付け方向に対応することを可能にし、吊下板の長片及び３片の突起を挿入し、長片を構造部材等との固定部とし、上方に折曲した短片を吊天野縁接合金物の意っ位置決め脱落防止固定部としたことを特徴とする請求項１記載の野縁材等の吊天野縁接合金物。
【請求項３】
吊天野縁接合金物を取り付ける部位の主材である野縁材を吊天野縁接合金物両側の垂れ下がり部の中心部両側壁からビス止めし、主材の野縁材を挟み込み固定し、その主材の幅により両側壁の野縁材の荷重による垂下がりを防止を図ることを特徴とする請求項２記載の野縁材等の吊天野縁接合金物。
【請求項４】
吊天野縁接合金物の両側の短材野縁材を挟持する両側両側壁を若干内側に狭め、その下端部を外側に開き野縁材を差込み取付ける場合のガイドとしたこと、及び主材野縁を挿入し易くする目的からその挟持垂れ壁と両側挟持壁の角を斜めに切り欠いたことを特徴とする請求項３記載の野縁材等下地骨組みの吊天野縁接合金物。
【発明の詳細な説明】
【技術分野】
【０００１】  本発明は、住宅や店舗、事務所等の天井を構成する場合、これらの下地材（野縁材）の接合部に用いる吊天野縁接合金物に関する。
【背景技術】
【０００２】  通常、天井を構成する場合は、仕上材の石膏ボード等を支持する野縁材を下地材として格子状に組むが、その下地材である野縁材には木材又は金属の軽量鉄骨等を用いている。
木材の場合は、釘又はビスを、軽量鉄骨の場合には、金属用のビス等で夫々の施工に合わせ接合している。【０００３】  野縁材の吊天野縁接合金物の機能は、野縁材の交点接合部に用い交点に集合する野縁材各々を接合し、梁材等横架材に簡便に取り付け天井の水平を維持確保することにあり、上階からの振動等の伝播による騒音を軽減する。
その交点接合部に集合する野縁材はその荷重負担条件等から優先取り付け順位及び方向が決められる。
特に木材等を使用した野縁材等の場合は釘、ビス等の斜打ち等による不安定な施工が生じる。
【発明の開示】
【発明が解決しようとする課題】
【０００４】  上述の如く、従来の施工方法による施工では水平を保ちながら各々の野縁材を確実に接合するには熟練した技能が必要となり、多くの接合部が存在した場合には長時間の施工時間が必要となり、釘等の斜め打ちによる不安定な施工では脱落の危険性も生じる。【０００５】  更に、基本的には天井下地材は上階の振動や騒音を軽減するために横架材から一センチほどの空間を空け吊下げられており、構造部材とは接合されずに振動を吸収し、天井を天井として維持しているが、その接合部は至って脆弱、不正確である。
本発明はこのような点に鑑みて成されたものであり、その目的とするところは、熟練した技能を必要とせずに従来の施工と変わることなく、誰にでも簡便且つ正確な施工により接合部の強度を安価に確保することにある。
【課題を解決するための手段】
【０００６】  上述の目的を達成する本発明の野縁材の吊天野縁接合金物は、一枚の板金を折曲し平面上端に四か所の矩形穴を有する中心平板部から垂れ下がった壁を有し、その垂れ下がり壁の両側を背を向い合せた「コノ字」形状に折曲のみにて挟持空間を構成した単純形状としている。【０００７】  天井下地野縁材は頭上にて接合するため、吊天野縁接合金物の挟持壁により構成された挟持壁空間下方から差し込み施工できることが求められる。
野縁材をその挟持壁空間の幅を狭めた両側の挟持壁が一時的に挟持し保持することにより頭上作業が簡便化され、野縁材は吊天野縁接合金物の挟持壁に保持されているため、施工者は手を離すことができ、正確な施工が可能となる。
【課題を解決するための最良のの形態】
【０００８】  以下、本発明の実施の形態を図に基づき詳細に説明する。
【０００９】  図１〜図４は本発明の実施の形態に係り、図１は吊天野縁接合金物に野縁材を吊下げた状態を示す部分断面斜視図、図２は吊天接合金物に野縁材を取り付けた状態の中央部の縦断面図、図３は吊下げ金物の斜視図、図４は吊天接合金物斜視図である。
【００１０】  図１及び図２に示すように、本吊天野縁接合金物Ａは、野縁材２、３、４を全て板金の折曲により構成された挟持壁ｗによって構成された挟持空間ｓ１及びｓ２に挟み込み、吊天野縁接合金物Ａを介し野縁材２，３，４同志を接合する構造としたものであり、野縁材２，３，４の吊天野縁接合金物Ａへの固定は野縁材挟持壁ｗ、Ａｗの外側面からビスａ及びｓｅにて固定する。
【００１１】  挟持壁の下部ｇは若干外側に開き下方から野縁材を挿入し易くしてあり、主材の野縁材２を挿入する挟持壁Ａｗに於いてもその下部を斜めにカットしｇｃとし、全ての挟持壁を野縁材を仮保持する目的から内側方向に狭めてある。
更に吊天接合金物の吊下げ金物Ｔｐはその中央部平板Ｈｐの吊り下げ部以外の三面に突起Ｊ２を設け上方に折曲しており、また細幅の吊下げ金物Ｔｐの横架材等への固定部分Ｊ１は、折曲げ切除し長さ調節が可能なようにビス穴間に横長の調節穴ｆを設けている。
【００１２】  この吊下げ金物Ｔｐの平板の三方に設けられた突起Ｊ２により吊天接合金物Ａは安定的に固定され、これ等の突起Ｊ２を中心に向かい、或るいは外側に傾斜させれば振動等により吊下げ金物Ｔｐから吊天接合金物Ａが脱落する恐れがなくなる。
【００１３】  更に、吊下げ金物Ｔｐの横架材等１への取り付け部背面に合成ゴムＧ１等を貼り付け固定する及び吊下げ金物の平板部分に同様の合成ゴムＧ２を貼り付けることにより上階からの音や振動を減衰させることが期待できる。
【００１４】  吊天野縁接合金物Ａの平板Ｈｐの四か所に開けた同寸同形状の矩型穴ｋ１、ｋ２、ｋ３、ｋ４によりどちらからの方向からでも挿入が可能で、且つ吊下げが可能となり主材野縁材２とそれに直行する短材野縁材３，４の施工順番が必然的に決まる。
又この短材野縁３，４は現場に散在している材でも充当できるためエコロジーにもつながる。
【実施例】
【００１５】  例えば、野縁材は一般的に４５ミリ×４５ミリの部材が用いられることが多く、野縁材の幅に吊天野縁接合金物の挟持壁の幅を４５ミリに設定することが合理的である。
又、横架材の断面寸法もまちまちであり、荷重条件により決められるため吊下げ金物の寸法も小断面の横架材に合わせ図３のように容易に切断できる調整穴ｆを持たせることにより多くのケースに対応可能となる。【００１６】  以上、本発明の実施の形態及び実施例を説明したが、本発明の範囲はこれに限定されるものではない。
例えば軽量鉄骨を用いた場合等にも用いることが可能で、壁際に取り付ける場合でも問題なく素材、状況に応じ適宜選択されるものである。
【産業上の利用の可能性】
【００１７】  本発明は、住宅、事務所、店舗等家屋の天井に用いることが可能で垂直方向に使用すれば棚等の身近な造作にも対応でき、住宅等家屋を建築する分野以外でも利用することができる。
【図面の簡単な説明】
【００１８】
【図１】  本発明の実施の形態に係る吊天野縁接合金物に野縁材を吊り下げた状態の部分断面斜視図である。
【図２】  吊天野縁接合金物に野縁材を取り付けた状態の中央部縦断面図である。
【図３】  吊天野縁接合金物斜視図である
【図４】  実施の形態に係る吊下げ金物の斜視図である。。
【符号の説明】１      横架材
２      主材野縁材
３      短材野縁材
４      短材野縁材
Ａ      吊天野縁接合金物本体
Ｇ１    吊下げ金物背当てゴム
Ｇ２    吊天野縁接合金物受けゴム
Ａｗ    挟持垂壁
Ｈｐ    吊天野縁接合金物上端平板
Ｔｐ    吊下げ金物
ａ      野縁材取付けビス
ｂ      吊下げ金物ビス穴
ｅ      吊下げ金物取り付けビス
ｆ      長さ調節穴
ｇ      ガイド
ｇｃ    ガイドカット
ｎ      挟持壁ビス穴
ｋ１，ｋ２，ｋ３，ｋ４    吊下げ金物取り付け用矩形穴
ｓ１    主材挟持空間
ｓ２    短材挟持空間
ｓｅ    皿ビス
ｗ１，ｗ２    短材側挟持壁
【図１】
2014198982.tif 000003
【図２】
2014198982.tif 000004
【図３】
2014198982.tif 000005
【図４】
2014198982.tif 000006